(57)【要約】【課題】光源および当該光源を駆動するための駆動回路にて生じる熱を効率的に放熱することができ、装置全体として効果的に放熱が行なえる照明装置を提供する。【解決手段】照明装置１Ａは、筐体１０と、基板２０と、基板２０に実装されたＬＥＤ２１と、ＬＥＤ２１を駆動するための駆動回路が設けられた駆動部４０と、筐体１０の内部の空間において放熱用媒体を通流させるためのファン３１とを備える。筐体１０の内部の空間に形成される流路は、ファン３１が作動した場合に、放熱用媒体が基板２０のＬＥＤ２１が実装された第１主表面とは反対側に位置する第２主表面に沿って通流した後に駆動部４０の表面に沿って通流するように構成される。【選択図】図１
2012248524.tif 000002
【特許請求の範囲】
【請求項１】
照明光を外部に向けて照射する照射面を一部に含む筐体と、
前記筐体の内部に配設され、前記照射面に対向配置された第１主表面を有する基板と、
前記基板の前記第１主表面に実装された複数の光源と、
前記筐体の内部であってかつ前記基板の前記第１主表面とは反対側に位置する第２主表面に対向して配設され、前記複数の光源を駆動するための駆動回路が設けられた駆動部と、
前記筐体の内部に配設され、前記筐体の内部の空間において放熱用媒体を通流させるための通流手段とを備え、
前記通流手段が作動することにより、放熱用媒体が前記基板の前記第２主表面に沿って通流した後に前記駆動部の表面に沿って通流するように、放熱用媒体の流路が構成されている、照明装置。
【請求項２】
前記基板の前記第２主表面に沿って通流する放熱用媒体が前記基板の外周縁上から前記基板の中央部上に向けて通流するように、前記流路が構成されている、請求項１に記載の照明装置。
【請求項３】
前記基板の前記第２主表面の中央部上に、放熱用媒体の流動を整流する整流部が設けられている、請求項２に記載の照明装置。
【請求項４】
前記放熱用媒体は、前記筐体の内部に封止された気体または液体からなり、
前記通流手段は、前記気体または液体を前記筐体の内部の空間において循環させるファンまたはポンプからなる、請求項１から３のいずれかに記載の照明装置。
【請求項５】
前記筐体は、前記基板、前記複数の光源、前記駆動部および前記通流手段を収容する筒状の胴部を含み、
前記胴部の内部には、軸方向の一方の開口端が前記基板の前記第２主表面に対向するように配置された筒状の流路形成部材が配設され、
前記流路形成部材によって前記胴部の内部の空間が径方向に仕切られることにより、放熱用媒体が循環する循環路が前記筐体の内部の空間に形成されている、請求項１から４のいずれかに記載の照明装置。
【請求項６】
前記放熱用媒体は、前記筐体の外部から取り込まれる外気からなり、
前記通流手段は、前記筐体に設けられた吸込口から外気を前記筐体の内部の空間に導入して通流させた後にこれを前記筐体に設けられた吹出口から外部に向けて導出するファンからなる、請求項１から３のいずれかに記載の照明装置。
【請求項７】
前記筐体は、前記基板、前記複数の光源、前記駆動部および前記通流手段を収容する筒状の胴部を含み、
前記胴部の、前記照射面が設けられた側の軸方向端部寄りの位置に、前記吸込口が設けられ、
前記胴部の、前記照射面が設けられた側とは反対側に位置する軸方向端部寄りの位置に、前記吹出口が設けられている、請求項６に記載の照明装置。
【請求項８】
前記胴部は、前記通流手段が設けられた位置と前記吹出口が設けられた位置との間に、前記流路を迷路化する互い違いに設けられた隔壁部を有する、請求項７に記載の照明装置。
【請求項９】
前記筐体の外周面に放熱用のフィンが設けられている、請求項１から８のいずれかに記載の照明装置。
【請求項１０】
振動を抑制するための制振材または／および騒音を吸収するための吸音材が、前記筐体に取付けられている、請求項１から９のいずれかに記載の照明装置。
【請求項１１】
前記複数の光源の各々が、ＬＥＤである、請求項１から１０のいずれかに記載の照明装置。
【発明の詳細な説明】
【技術分野】
【０００１】
本発明は、照明装置に関し、特に、筐体の内部に光源と当該光源を駆動させるための駆動回路とを備えた照明装置に関する。
【背景技術】
【０００２】
近年、光源としてＬＥＤ（Light-Emitting diode）を具備した照明装置が普及している。一般に、照明装置においては、光源にて生じる熱を外部に効率的に放熱することが重要であるが、特にＬＥＤを具備した照明装置にあっては、ＬＥＤの温度が一定温度以上の高温に達すると発光効率が大幅に低下するとともにＬＥＤ自体にも劣化が生じ、製品性能および製品寿命に悪影響を与えてしまうことが知られている。
【０００３】
このような傾向は、特に大型の照明装置に具備される出力の大きい高輝度ＬＥＤにおいて顕著であり、効率的にＬＥＤの放熱が行なわれるように照明装置を設計することが重要である。また、上記に加え、大型の照明装置にあっては、光源を駆動するための駆動回路にて生じる熱についてもこれが無視できない程度に大きいものとなるため、当該駆動回路の放熱が効率的に行なわれるように照明装置を設計することがあわせて重要となる。
【０００４】
ＬＥＤおよび当該ＬＥＤを駆動するための駆動回路にて生じる熱を効率的に放熱することを目的として、たとえば特開２０１０−１５３１９８号公報（特許文献１）には、筐体の内部にファンが内蔵された照明装置が開示されている。
【０００５】
当該特許文献１に開示の照明装置にあっては、ＬＥＤが実装されたＬＥＤ基板の外周縁に沿って第１の放熱フィンが立設され、駆動回路が形成された駆動回路基板の中央部に設けられた開口の縁に沿って第２の放熱フィンが立設され、ファンが作動することによって通流される冷却風がこれら第１および第２の放熱フィンに沿って通流するように照明装置が構成されている。このように構成することにより、ＬＥＤおよび当該ＬＥＤを駆動するための駆動回路にて生じる熱がいずれも冷却風によって奪われることで効率的にその放熱が行なわれる。
【先行技術文献】
【特許文献】
【０００６】
【特許文献１】特開２０１０−１５３１９８号公報
【発明の概要】
【発明が解決しようとする課題】
【０００７】
しかしながら、上記特許文献１に開示の照明装置にあっては、ＬＥＤにて生じた熱をＬＥＤ実装基板の外周縁に沿って立設された第１の放熱フィンを介して放熱する構造であるため、ＬＥＤ実装基板の外周縁寄りの部分に実装されたＬＥＤにて生じる熱は、比較的効率的に放熱できるものの、ＬＥＤ実装基板の中央部寄りの部分に実装されたＬＥＤにて生じる熱については、これを効率的に放熱することが困難になる問題がある。
【０００８】
したがって、本発明は、上述した問題点を解決すべくなされたものであり、光源および当該光源を駆動するための駆動回路にて生じる熱を従来に比してより効率的に放熱することができ、装置全体として効果的に放熱が行なえる照明装置を提供することを目的とする。
【課題を解決するための手段】
【０００９】
本発明に基づく照明装置は、照明光を外部に向けて照射する照射面を一部に含む筐体と、上記筐体の内部に配設され、上記照射面に対向配置された第１主表面を有する基板と、上記基板の上記第１主表面に実装された複数の光源と、上記筐体の内部であってかつ上記基板の上記第１主表面とは反対側に位置する第２主表面に対向して配設され、上記複数の光源を駆動するための駆動回路が設けられた駆動部と、上記筐体の内部に配設され、上記筐体の内部の空間において放熱用媒体を通流させるための通流手段とを備えている。上記本発明に基づく照明装置にあっては、上記通流手段が作動することにより、放熱用媒体が上記基板の上記第２主表面に沿って通流した後に上記駆動部の表面に沿って通流するように、放熱用媒体の流路が構成されている。
【００１０】
上記本発明に基づく照明装置にあっては、上記基板の上記第２主表面に沿って通流する放熱用媒体が上記基板の外周縁上から上記基板の中央部上に向けて通流するように、上記流路が構成されていることが好ましい。
【００１１】
上記本発明に基づく照明装置にあっては、上記基板の上記第２主表面の中央部上に、放熱用媒体の流動を整流する整流部が設けられていることが好ましい。
【００１２】
上記本発明に基づく照明装置にあっては、上記放熱用媒体が、上記筐体の内部に封止された気体または液体にて構成されていることが好ましく、その場合には、上記通流手段が、上記気体または液体を上記筐体の内部の空間において循環させるファンまたはポンプにて構成されていることが好ましい。
【００１３】
その場合には、上記筐体が、上記基板、上記複数の光源、上記駆動部および上記通流手段を収容する筒状の胴部を含んでいることが好ましい。さらに、その場合には、上記胴部の内部に、軸方向の一方の開口端が上記基板の上記第２主表面に対向するように配置された筒状の流路形成部材が配設されていることが好ましく、上記流路形成部材によって上記胴部の内部の空間が径方向に仕切られることにより、放熱用媒体が循環する循環路が上記筐体の内部の空間に形成されていることが好ましい。
【００１４】
上記本発明に基づく照明装置にあっては、上記放熱用媒体は、上記筐体の外部から取り込まれる外気にて構成されていることが好ましく、その場合には、上記通流手段が、上記筐体に設けられた吸込口から外気を上記筐体の内部の空間に導入して通流させた後にこれを上記筐体に設けられた吹出口から外部に向けて導出するファンにて構成されていることが好ましい。
【００１５】
その場合には、上記筐体が、上記基板、上記複数の光源、上記駆動部および上記通流手段を収容する筒状の胴部を含んできることが好ましい。さらに、その場合には、上記胴部の、上記照射面が設けられた側の軸方向端部寄りの位置に、上記吸込口が設けられていることが好ましく、また、上記胴部の、上記照射面が設けられた側とは反対側に位置する軸方向端部寄りの位置に、上記吹出口が設けられていることが好ましい。
【００１６】
さらに、その場合には、上記胴部が、上記通流手段が設けられた位置と上記吹出口が設けられた位置との間に、上記流路を迷路化する互い違いに設けられた隔壁部を有していることが好ましい。
【００１７】
上記本発明に基づく照明装置にあっては、上記筐体の外周面に放熱用のフィンが設けられていることが好ましい。
【００１８】
上記本発明に基づく照明装置にあっては、振動を抑制するための制振材または／および騒音を吸収するための吸音材が、上記筐体に取付けられていることが好ましい。
【００１９】
上記本発明に基づく照明装置にあっては、上記複数の光源の各々が、ＬＥＤであることが好ましい。
【発明の効果】
【００２０】
本発明によれば、光源および当該光源を駆動するための駆動回路にて生じる熱を従来に比してより効率的に放熱することができ、装置全体として効果的に放熱が行なえる照明装置とすることができる。
【図面の簡単な説明】
【００２１】
【図１】本発明の実施の形態１における照明装置の模式断面図である。
【図２】本発明の実施の形態２における照明装置の模式断面図である。
【図３】本発明の実施の形態３における照明装置の模式断面図である。
【図４】本発明の実施の形態３における照明装置の傘状部の模式断面図である。
【図５】本発明の実施の形態４における照明装置の模式断面図である。
【図６】本発明の実施の形態５における照明装置の模式断面図である。
【図７】本発明の実施の形態６における照明装置の模式断面図である。
【図８】本発明の実施の形態６における照明装置の筒状部に設けられたラビリンス構造を示す模式図である。
【図９】本発明の実施の形態７における照明装置の模式断面図である。
【図１０】本発明の実施の形態８における照明装置の模式断面図である。
【発明を実施するための形態】
【００２２】
以下、本発明の実施の形態について、図を参照して詳細に説明する。以下に示す実施の形態においては、照明装置として、たとえば体育館や講堂等の大きな空間を有する施設に設置される吊り下げ式の大型照明装置に本発明を適用した場合を例示して説明する。なお、以下においては、同一のまたは共通する部分について図中同一の符号を付し、その説明は繰り返さない。
【００２３】
（実施の形態１）
図１は、本発明の実施の形態１における照明装置の模式断面図である。以下においては、この図１を参照して、本実施の形態における照明装置１Ａについて詳説する。
【００２４】
図１に示すように、本実施の形態における照明装置１Ａは、筐体１０と、光源としての複数のＬＥＤ２１と、当該複数のＬＥＤ２１が実装された基板であるＬＥＤ実装基板２０と、複数のＬＥＤ２１を駆動するための駆動回路が設けられた駆動部４０と、通流手段としてのファン３１とを主として備えている。
【００２５】
筐体１０は、照明装置１Ａの外殻を構成する部材であり、内部に各種構成部品が収容される空間を有している。筐体１０は、被固定部材１００に固定される固定部１１と、当該固定部１１から連続して下方に延びる筒状部１２と、当該筒状部１２から連続して下方に延びる傘状部１３と、当該傘状部１３の下端に設けられた支持部１４と、当該支持部１４によって支持されたレンズ部２２とを主として有している。このうち、筒状部１２、傘状部１３および支持部１４は、全体として筒状の形状を有するように構成されており、当該部分が筐体１０の胴部に相当する。
【００２６】
固定部１１は、建物の天井面や当該天井面に露出して設けられた鉄骨材等の被固定部材１００に対して固定が可能な図示しない固定手段を備えており、当該固定手段によって固定部１１が被固定部材１００に固定されることにより、筐体１０が被固定部材１００に固定される。
【００２７】
筐体１０の胴部は、好ましくは高熱電導性の部材にて構成され、好適には金属製または樹脂製の部材にて構成される。一方、筐体１０のレンズ部２２は、照明光が透過する光透過性の部材にて構成され、好適には樹脂製またはガラス製の部材にて構成される。なお、筐体１０を構成するレンズ部２２の露出面が、照明光を外部に向けて照射するための照射面に相当する。
【００２８】
ＬＥＤ実装基板２０は、たとえば筐体１０の形状に合わせて円板状の形状とされ、上述した照射面を含むレンズ部２２に対向する第１主表面と、当該第１主表面とは反対側に位置する第２主表面とを有している。ＬＥＤ実装基板２０は、筐体１０の傘状部１３の下端を閉塞するように筐体１０の支持部１４に固定されており、これによりＬＥＤ実装基板２０の上記第２主表面は、その大部分が筐体１０の内部の空間に面するように露出している。
【００２９】
複数のＬＥＤ２１の各々は、低消費電力でかつ高寿命の高輝度ＬＥＤが使用される。複数のＬＥＤ２１は、ＬＥＤ実装基板２０の上記第１主表面上にたとえばアレイ状または千鳥状等のレイアウトにて実装されている。なお、ＬＥＤ５３としては、好適には白色発光ダイオードが使用される。
【００３０】
上述したように、レンズ部２２は、筐体１０の下端に設けられた支持部１４によって支持されている。レンズ部２２は、複数のＬＥＤ２１から出射された照明光に適切に絞りをかけたりあるいは拡散させたりするためのレンズを含んでおり、複数のＬＥＤ２１が実装されたＬＥＤ実装基板２０の上記第１主表面を覆うように配設されている。
【００３１】
筐体１０の胴部の一部である傘状部１３の内部には、支持枠１５，１６が胴部の軸方向に沿って隔てて配置されている。これら支持枠１５，１６は、いずれも複数の連通孔が設けられたたとえば円板状の形状とされ、その外周縁が筐体１０の傘状部１３によって支持されることで筐体１０に固定されている。また、支持枠１５、１６のうち、よりＬＥＤ実装基板２０に近い側に配置される支持枠１６は、胴部の軸方向に沿ってＬＥＤ実装基板２０から距離を隔てて配置されている。
【００３２】
支持枠１５は、上述したファン３１およびこれを駆動するためのモータ３０が組付けられることでこれらを支持するためのものである。具体的には、支持枠１５は、筐体１０の傘状部１３の上端部寄りの位置に配設され、ファン３１がその下面に配設されるようにこれを支持している。ファン３１としては、軸方向に気体を吸い込んでこれを径方向に吐き出す遠心ファンが利用され、その回転軸が筐体１０の軸方向と平行に配置されている。なお、ファン３１としては、好適にはシロッコファンが使用される。
【００３３】
支持枠１６は、上述した駆動部４０を支持するためのものである。具体的には、支持枠１６は、筐体１０の傘状部１３の下端部寄りの位置に配設され、駆動部４０がその上面に配設されるようにこれを支持している。駆動部４０は、複数のＬＥＤ２１を駆動するための駆動回路を含む回路ユニットからなり、駆動回路としては、たとえば交流電力を直流電力に変換するコンバータ回路や、電圧を降圧させる降圧回路、電圧を平滑化する平滑回路等、商用電源等の外部電源から供給される交流電力を複数のＬＥＤ２１を駆動するのに適した直流電力に変換、調整する各種の回路が含まれる。
【００３４】
以上において説明した構成を採用することにより、本実施の形態における照明装置１Ａは、筐体１０の内部に封止された空気が放熱用媒体として機能するいわゆる内気循環方式の放熱システムを具備することになる。すなわち、本実施の形態における照明装置１Ａにあっては、上述した構成を採用することにより、筐体１０の内部に放熱用媒体としての気体が通流する流路が形成されることになり、通流手段としてのファン３１が作動することにより、筐体１０の内部において図中に示す矢印Ａ１，Ａ２に沿った気流が発生することになり、当該気流によって照明装置１Ａの放熱が図られることになる。
【００３５】
より詳細には、ファン３１から吐き出された放熱用媒体としての空気は、筐体１０の傘状部１３の内周面に沿って下降気流となって通流し、支持枠１６に設けられた連通孔を介してＬＥＤ実装基板２０の外周縁に吹き付けられる（図中矢印Ａ１参照）。ＬＥＤ実装基板２０の外周縁に吹き付けられた空気は、ＬＥＤ実装基板２０の第２主表面に沿って通流することでＬＥＤ実装基板２０の中央部上に移動して集まり、当該部分において流動方向を変えて上昇気流となって通流することでファン３１によって吸い込まれる（図中矢印Ａ２参照）。そして、ファン３１によって吸い込まれた空気は、再びファン３１から吐き出されることになる。
【００３６】
ここで、本実施の形態における照明装置１Ａにおいては、傘状部１３の内周面に沿って空気が通流する下降気流部分において、当該傘状部１３を介して筐体１０の内部の熱が外気と積極的に熱交換されることになり、当該部分を通流した後の空気が最も低温の状態にある。そのため、複数のＬＥＤ２１にて生じた熱は、当該最も低温の状態にある空気がＬＥＤ実装基板２０の第２主表面に沿って通流することで当該空気によって効果的に奪われることになる。
【００３７】
また、ＬＥＤ実装基板２０の中央部上からファン３１に向けて空気が通流する上昇気流部分においては、当該上昇気流がＬＥＤ２１にて生じた熱を奪った後の空気にて構成されるため、上述した下降気流部分における空気の温度よりも高い温度となるものの、これよりも高い温度にある駆動部４０にて生じた熱が、当該上昇気流によって効果的に奪われることになる。そして、これら複数のＬＥＤ２１および駆動部４０にて生じた熱を帯びた空気は、上述した傘状部１３の内周面に沿って空気が通流する下降気流部分において、外部に積極的に放熱されることになる。したがって、駆動部４０を上記上昇気流が通流する支持枠１６の中央部に設けた連通孔近傍に設けることで、より効果的に駆動部４０の熱を奪うことが可能になる。
【００３８】
また、本実施の形態にあっては、ファン３１が作動することで放熱媒体としての空気がＬＥＤ実装基板２０の第２主表面に沿ってその外周縁から中央部上に通流することで、上記第２主表面の全域にわたって熱が奪われることになるため、従来に比してより効率的にＬＥＤ２１にて生じた熱を放熱することが可能になる。
【００３９】
以上において説明したように、本実施の形態における照明装置１Ａとすることにより、ＬＥＤ実装基板２０に実装された複数のＬＥＤ２１にて生じる熱を満遍なく効率的に放熱することが可能になるとともに、複数のＬＥＤ２１を駆動するための駆動回路が設けられた駆動部４０にて生じる熱についても、これを効果的に放熱することが可能になる。したがって、上記構成を採用することにより、従来に比してより効率的に装置全体を放熱させることができる照明装置とすることができる。
【００４０】
（実施の形態２）
図２は、本発明の実施の形態２における照明装置の模式断面図である。以下においては、この図２を参照して、本実施の形態における照明装置１Ｂについて詳説する。
【００４１】
図２に示すように、本実施の形態における照明装置１Ｂは、上述した本発明の実施の形態１における照明装置１Ａと比べ、ＬＥＤ実装基板２０の第２主表面の中央部上に、放熱用媒体としての空気を整流するための整流部２３を備えている点において相違する。ここで、整流部２３は、ＬＥＤ実装基板２０の第２主表面から上部側に向けて突出して設けられており、ＬＥＤ実装基板２０の第２主表面に沿って通流することでＬＥＤ実装基板２０の外周縁上から中央部上に移動して集まった空気の流動方向をスムーズに変えて上昇気流とするためのものである。また、図示するように、整流部２３に加え、ＬＥＤ実装基板２０の第２主表面上に、当該整流部２３から放射状に延びる放熱フィン２３ａを設けることとしてもよい。
【００４２】
このように構成することにより、本実施の形態における照明装置１Ｂにあっては、上述した本発明の実施の形態１において説明した効果に加え、筐体１０の内部における放熱用媒体としての空気の流れがよりスムーズに形成されることになるため、熱を帯びた空気が支持枠１６とＬＥＤ実装基板２０の第２主表面との間で滞留することを防止することが可能になる。また、ファン３１をより少なく駆動力で駆動した場合にも効率的に空気を筐体１０の内部において循環させることができるため、ファン３１の駆動に要する電力の消費を抑えた上で放熱性の向上が図られる効果を得ることができる。
【００４３】
（実施の形態３）
図３は、本発明の実施の形態３における照明装置の模式断面図であり、図４は、本実施の形態における照明装置の傘状部の模式断面図である。以下においては、これら図３および図４を参照して、本実施の形態における照明装置１Ｃについて詳説する。
【００４４】
図３および図４に示すように、本実施の形態における照明装置１Ｃは、上述した本発明の実施の形態１における照明装置１Ａと比べ、筐体１０の内周面の所定位置に、制振材５０が取付けられている点において相違する。ここで、制振材５０は、ファン３１が作動することによって筐体１０に生じる振動を吸収することで振動の発生を抑制するための部材であり、たとえばブチルゴムに金属微粒子を分散含有させたダンピング材が利用できる。
【００４５】
制振材５０の取付位置としては、たとえば傘状部１３の内周面とされることが好ましい。制振材５０のより詳細な取付位置としては、必ずしも傘状部１３の全周囲にわたって設けられる必要はなく、図４（Ａ）および図４（Ｂ）に示すように、傘状部１３の周方向に沿って２箇所または３箇所程度、特に傘状部１３に生じる振動の振幅が大きい位置に取付ければよい。
【００４６】
このように構成することにより、本実施の形態における照明装置１Ｃにあっては、上述した本発明の実施の形態１において説明した効果に加え、ファン３１が作動することによって生じる筐体１０の振動が効果的に抑制できる効果が得られるとともに、当該振動が生じることによって発生する騒音も効果的に抑制できる効果が得られる。
【００４７】
（実施の形態４）
図５は、本発明の実施の形態４における照明装置の模式断面図である。以下においては、この図５を参照して、本実施の形態における照明装置１Ｄについて詳説する。
【００４８】
図５に示すように、本実施の形態における照明装置１Ｄは、上述した本発明の実施の形態１における照明装置１Ａと比べ、筐体１０の内部の構造において相違する。具体的には、本実施の形態における照明装置１Ｄにあっては、筐体１０の胴部の内部に、流路形成部材としての筒状の内筒部１７が配設されている。
【００４９】
内筒部１７は、軸方向の一方の開口端がＬＥＤ実装基板２０の第２主表面に対向するように筐体１０の胴部と同心円上に配置されており、その下端が支持枠１６によって支持されている。これにより、筐体１０の内部の空間は、当該内筒部１７によって径方向に仕切られることになり、放熱用媒体としての空気が循環する循環路が形成されることになる。
【００５０】
なお、本実施の形態における照明装置１Ｄにあっては、支持枠１５が内筒部１７の内部の所定位置に設けられており、当該支持枠１５によって支持されることでファン３２が内筒部１７の内部に設置されている。ここで、ファン３２としては、軸方向に沿って気体を吸い込んでこれを吐き出す軸流ファンが利用され、その回転軸が内筒部１７の軸方向と平行に配置されている。なお、ファン３２としては、好適にはプロペラファンが使用される。
【００５１】
また、駆動部４０は、上述した本発明の実施の形態１における照明装置１Ａの如く、支持枠１６上に設置されていてもよいが、本実施の形態における照明装置１Ｄにあっては、図示するように、ファン３２が設置された支持枠１５よりも上方に位置する部分の内筒部１７の内部に設置されている。
【００５２】
また、本実施の形態における照明装置１Ｄにあっては、筐体１０の外周面に放熱フィン１９が設けられている。当該放熱フィン１９は、たとえば図示するように、筐体１０の筒状部１２と傘状部１３とに跨るように軸方向に沿って複数延びるように設けられている。当該放熱フィン１９を設けることにより、外気と筐体１０との接触面積が増大することで放熱性の向上が図られる。
【００５３】
以上において説明した構成を採用することにより、本実施の形態における照明装置１Ｄにあっては、ファン３２が作動することにより、内筒部１７の外側の空間に位置する空気が筐体１０の筒状部１２および傘状部１３の内周面に沿って下降気流となって通流し、支持枠１６に設けられた連通孔を介してＬＥＤ実装基板２０の外周縁に吹き付けられる。ＬＥＤ実装基板２０の外周縁に吹き付けられた空気は、ＬＥＤ実装基板２０の第２主表面に沿って通流することでＬＥＤ実装基板２０の中央部上に移動して集まり、当該部分において流動方向を変えて上昇気流となって通流することで内筒部１７の内部に導入されてファン３２によって吸い込まれる（図中矢印Ａ３参照）。そして、ファン３２によって吸い込まれた空気は、ファン３２から吐き出されることで内筒部１７の内部を上昇気流となって通流し、筐体１０の上部においてその流動方向を変えて内筒部１７の外側の空間に導入される（図中矢印Ａ４参照）。内筒部１７の外側の空間に導入された空気は、再び下降気流となって通流する。
【００５４】
このように構成することにより、本実施の形態における照明装置１Ｄにあっては、上述した本発明の実施の形態１において説明した効果に加え、筐体１０の内部における放熱用媒体としての空気の流れがより安定的に形成されることになるため、ファン３２の駆動に要する電力の消費を抑えた上で放熱性の向上が図られる効果を得ることができる。
【００５５】
また、本実施の形態においては、上述した実施の形態１ないし３と異なり、筒状部１２の内周面をも利用して放熱することが可能になるため、ＬＥＤ２１および駆動部４０にて生じる熱を放熱するための放熱面積が増大することになり、より効果的に装置全体を放熱させることができる。さらには、上記上昇気流が通流する内筒部１７の内部の空間に、当該内筒部１７の軸方向に沿って延びるように駆動部４０を並行して配置することにより、通流する空気が接触する部位である駆動部４０の表面積を増大させることが可能になり、より効果的に駆動部４０を放熱させることができる。
【００５６】
（実施の形態５）
図６は、本発明の実施の形態５における照明装置の模式断面図である。以下においては、この図６を参照して、本実施の形態における照明装置１Ｅについて詳説する。
【００５７】
図６に示すように、本実施の形態における照明装置１Ｅは、上述した本発明の実施の形態１における照明装置１Ａと比べ、筐体１０の構造において相違する。具体的には、本実施の形態における照明装置１Ｅにあっては、筐体１０の胴部の所定位置に、外気を導入するための吸込口１０ａと、外気を導出するための吹出口１０ｂが設けられている。
【００５８】
より詳細には、本実施の形態における照明装置１Ｅにあっては、筐体１０の傘状部１３の下端部分に吸込口１０ａが設けられており、筐体１０の筒状部１２の上端部分に吹出口１０ｂが設けられている。なお、本実施の形態における照明装置１Ｅにあっては、通流手段としてのファン３２が、軸方向に沿って気体を吸い込んでこれを吐き出す軸流ファンからなり、その回転軸が筐体１０の軸方向と平行に配置されている。なお、ファン３２としては、好適にはプロペラファンが使用される。
【００５９】
以上において説明した構成を採用することにより、本実施の形態における照明装置１Ｅは、筐体１０の外部から取り込まれる外気が放熱用媒体として機能するいわゆる外気導入方式の放熱システムを具備することになる。すなわち、本実施の形態における照明装置１Ｅにあっては、上述した構成を採用することにより、筐体１０の内部に放熱用媒体としての外気が通流する流路が形成されることになり、通流手段としてのファン３２が作動することにより、図中に示す矢印Ｂ１，Ｂ２に沿った気流が発生することになり、当該気流によって照明装置１Ｅの放熱が図られることになる。
【００６０】
より詳細には、ファン３２が作動することにより、吸込口１０ａから吸い込まれた外気は、ＬＥＤ実装基板２０の第２主表面に沿って通流することでＬＥＤ実装基板２０の中央部上に移動して集まり、当該部分において流動方向を変えて上昇気流となって通流することでファン３２によって吸い込まれる（図中矢印Ｂ１参照）。そして、ファン３２によって吸い込まれた空気は、ファン３２から吐き出されることで筒状部１２の内部を上昇気流となって通流し、吹出口１０ｂから外部へと吹き出される（図中矢印Ｂ２参照）。
【００６１】
ここで、本実施の形態における照明装置１Ｅにおいては、吸込口１０ａから導入された直後の空気が最も低温の状態にある。そのため、複数のＬＥＤ２１にて生じた熱は、当該最も低温の状態にある空気がＬＥＤ実装基板２０の第２主表面に沿って通流することで当該空気によって効果的に奪われることになる。
【００６２】
また、ＬＥＤ実装基板２０の中央部上からファン３２に向けて空気が通流する上昇気流部分においては、当該上昇気流がＬＥＤ２１にて生じた熱を奪った後の空気にて構成されるため、上述した吸込口１０ａから導入された直後の空気の温度よりも高い温度となるものの、これよりも高い温度にある駆動部４０にて生じた熱が、当該上昇気流によって効果的に奪われることになる。そして、これら複数のＬＥＤ２１および駆動部４０にて生じた熱を帯びた空気は、吹出口１０ｂを介して外部に導出されるため、当該熱もこれと一緒に外部に放出されることになる。
【００６３】
以上において説明したように、本実施の形態における照明装置１Ｅとすることにより、ＬＥＤ実装基板２０に実装された複数のＬＥＤ２１にて生じる熱を満遍なく効率的に放熱することが可能になるとともに、複数のＬＥＤ２１を駆動するための駆動回路が設けられた駆動部４０にて生じる熱についても、これを効果的に放熱することが可能になる。したがって、上記構成を採用することにより、従来に比してより効率的に装置全体を放熱させることができる照明装置とすることができる。
【００６４】
なお、本実施の形態においては、駆動部４０を傘状部１３の内部に配置した場合を例示したが、駆動部４０は、筒状部１２の内部に配置してもよい。これにより、熱源であるＬＥＤ２１と駆動部４０とをより離間して配置させることができるため、これらＬＥＤ２１と駆動部４０との間に熱の干渉が生じることを抑制することができるとともに、空気の流路が傘状部１３に比較して絞られた筒状部１２の内部に駆動部４０を配置することになるため、駆動部４０の表面に沿って通流する空気の流速が増加することになり、方熱効果を増大させることができる。
【００６５】
（実施の形態６）
図７は、本発明の実施の形態６における照明装置の模式断面図であり、図８は、本実施の形態における照明装置の筒状部に設けられたラビリンス構造を示す模式図である。以下においては、これら図７および図８を参照して、本実施の形態における照明装置１Ｆについて詳説する。
【００６６】
図７に示すように、本実施の形態における照明装置１Ｆは、上述した本発明の実施の形態５における照明装置１Ｅと比べ、筐体１０の内部の構造において相違する。具体的には、本実施の形態における照明装置１Ｆにあっては、筐体１０の筒状部１２の内部に、複数の隔壁部１８が軸方向に沿って配設されることにより、ラビリンス構造が設けられている。
【００６７】
具体的には、上記ラビリンス構造は、筒状部１２の内部に構成される流路を一部遮るように筒状部１２の内周面から内側に向けて複数の隔壁部１８が突設されることで構成されており、個々の隔壁部１８が筒状部１２の軸方向に沿って互い違いに設けられることで当該流路を迷路化するものである。より詳細には、隔壁部１８は、図８（Ａ）および図８（Ｂ）に示すように、２分割されていてもよいし、３分割されていてもよい。
【００６８】
このように構成することにより、本実施の形態における照明装置１Ｆにあっては、上述した本発明の実施の形態５において説明した効果に加え、ファン３２を作動させることによって生じる騒音が、筐体１０に設けた吹出口１０ｂを介して外部に漏れ出すことを抑制することができる効果を得ることができる。したがって、上記構成を採用することにより、外気導入方式の放熱システムを採用した場合にも、低騒音の照明装置とすることができる。
【００６９】
（実施の形態７）
図９は、本発明の実施の形態７における照明装置の模式断面図である。以下においては、この図９を参照して、本実施の形態における照明装置１Ｇについて詳説する。
【００７０】
図９に示すように、本実施の形態における照明装置１Ｇは、上述した本発明の実施の形態６における照明装置１Ｆと比べ、筐体１０の内周面の所定位置に、制振材５０および吸音材５１が取付けられている点において相違する。ここで、吸音材５１は、ファン３２が作動することによって生じる騒音を吸収することで騒音が外部に漏れ出すことを抑制するための部材であり、たとえばスポンジ材やフェルト材、ガラスウール等が利用できる。なお、制振材５０の材質および取付位置等については、上述した本発明の実施の形態３において説明したものと同様であるので、ここではその説明を繰り返さない。
【００７１】
吸音材５１の取付位置としては、たとえば筒状部１２に設けられた隔壁部１８の表面とされることが好ましい。当該部位は、ファン３２と吹出口１０ｂとの間を遮るように設けられた部位であるため、ファン３２にて発生した騒音が直接当たる部分であり、特に高い吸音性が発揮されることが期待できる。なお、吸音材５１として、表面に被膜が設けられたものを使用することとすれば、埃の付着等を効果的に防止することができ、長期間にわたって高い吸音性を維持することができる。
【００７２】
このように構成することにより、本実施の形態における照明装置１Ｇにあっては、上述した本発明の実施の形態６において説明した効果に加え、ファン３２を作動させることによって生じる騒音が、筐体１０に設けた吹出口１０ｂを介して外部に漏れ出すことをさらに抑制することができる効果を得ることができる。したがって、上記構成を採用することにより、外気導入方式の放熱システムを採用した場合にも、低騒音の照明装置とすることができる。
【００７３】
（実施の形態８）
図１０は、本発明の実施の形態８における照明装置の模式断面図である。以下においては、この図１０を参照して、本実施の形態における照明装置１Ｈについて詳説する。
【００７４】
図１０に示すように、本実施の形態における照明装置１Ｈは、上述した本発明の実施の形態６における照明装置１Ｆと比べ、筐体１０の内部の構造において相違する。具体的には、本実施の形態における照明装置１Ｈにあっては、ＬＥＤ実装基板２０の第２主表面の中央部上に、放熱用媒体としての空気を整流するための整流部２３を備えている点において相違するとともに、筐体１０の外周面に放熱フィン１９が設けられている点において相違する。なお、整流部２３の設置位置や形状等については、上述した本発明の実施の形態２において説明したものと同様であり、また、放熱フィン１９の設置位置や形状等においては、上述した本発明の実施の形態４において説明したものと同様であるので、ここではその説明を繰り返さない。
【００７５】
また、本実施の形態における照明装置１Ｈにあっては、筐体１０の傘状部１３の下端部分に設けられた吸込口１０ａが、ＬＥＤ実装基板２０の第２の主表面よりもその法線方向に沿って所定の距離だけ離れた位置に設けられている。このように構成することにより、吸込口１０ａの近傍において渦流が発生することになり、吸込口１０ａから導入された外気の流速を上げることができ、さらなる放熱性の向上が図られることになる。
【００７６】
このように構成することにより、本実施の形態における照明装置１Ｈにあっては、上述した本発明の実施の形態６において説明した効果に加え、放熱用媒体としての空気の流れが筐体１０の内部においてよりスムーズに形成されることになるため、ファン３２の駆動に要する電力の消費を抑えた上で放熱性の向上が図られる効果を得ることができる。
【００７７】
以上において説明した本発明の実施の形態１ないし４においては、放熱用媒体として空気を採用した場合を例示したが、筐体の内部に封止される放熱用媒体としては、空気以外の気体や液体であってもよい。なお、放熱用媒体として液体を使用する場合には、通流手段として、ファンに代えてポンプを使用することが必要になる。
【００７８】
また、以上において説明した本発明の実施の形態１ないし８においては、吊り下げ式の照明装置を例示して説明を行なったが、本発明の適用対象は、当該設置形式の照明装置に限られず、他の設置形式の照明装置にも当然にその適用が可能である。
【００７９】
また、以上において説明した本発明の実施の形態１ないし８においては、光源としてＬＥＤを使用したものを例示して説明を行なったが、本発明の適用対象は、放熱を必要とする光源および当該光源を駆動する放熱を必要とする駆動回路を備えた照明装置であれば、どのようなものにも当然にその適用が可能である。
【００８０】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００８１】
１Ａ〜１Ｈ  照明装置、１０  筐体、１０ａ  吸込口、１０ｂ  吹出口、１１  固定部、１２  筒状部、１３  傘状部、１４  支持部、１５，１６  支持枠、１７  内筒部、１８  隔壁部、１９  放熱フィン、２０  ＬＥＤ実装基板、２１  ＬＥＤ、２２  レンズ部、２３  整流部、２３ａ  放熱フィン、３０  モータ、３１，３２  ファン、４０  駆動部、５０  制振材、５１  吸音材、１００  被固定部材。
【図１】
2012248524.tif 000003
【図２】
2012248524.tif 000004
【図３】
2012248524.tif 000005
【図４】
2012248524.tif 000006
【図５】
2012248524.tif 000007
【図６】
2012248524.tif 000008
【図７】
2012248524.tif 000009
【図８】
2012248524.tif 000010
【図９】
2012248524.tif 000011
【図１０】
2012248524.tif 000012